(57)【要約】【課題】ケースを中央部から２つ割りすることができ、  切断予定線を設けなかった天面板又は底面板には中央折曲線を設け、１パック毎取り出し易くし、ケースに安定性を持たせる。【解決手段】天面板１６若しくは底面板１の一方中央で側辺と平行し幅を持たせた２つの切断予定線９（ジッパーカット）を設け、この切断予定線９の中央又は端縁部に指を挿入可能なつまみ部８を形成し、切断予定線を設けなかった底面板１若しくは天面板１６には外方へ折り曲げる中央折曲線１７を設けたラップラウンドケース。【選択図】  図１
2005132371.tif 000002
【特許請求の範囲】
【請求項１】
底面板又は天面板の一方中央で側辺と平行し幅を持たせた２つの切断予定線（ジッパーカット）を設け、この切断予定線の中央に指を挿入可能なつまみ部を形成し、前記切断予定線に続く切断線を側壁板に設け、切断予定線を設けなかった天面板又は底面板には外方へ折り曲げる中央折曲線を設けたラップラウンドケース。
【請求項２】
底面板又は天面板の一方中央で側辺と平行し幅を持たせた２つの切断予定線（ジッパーカット）を設け、この切断予定線の両端側壁板に前記切断予定線と連続した切断線を設け、切断予定線を設けなかった天面板又は底面板には外方へ折り曲げる中央折曲線を設けたラップラウンドケース。
【発明の詳細な説明】
【技術分野】
【０００１】
本発明はビール缶のような飲料缶４個又は６個を１パックとし、４パック程度の複数パックを内装したラップラウンドケースに関し、詳しくはラップラウンドケース内に密接して収納されている各パックを取り出し易い開梱構造を提供すると共に安定して据え置き、保管のできるケースを提供するものである。
【背景技術】
【０００２】
ラップラウンドケースは、所定の形に型取られた平面展開図のワンピース上に、機械的に集積された内装品を載せ、これを包み込んでフラップを接着剤などで接合して完成するものである。
【０００３】
近年ビール缶その他の飲料缶６個を１パックとして、４パック程度にまとめて包装したラップラウンドケースは形態及び重量において搬送、保管等に便利であるので、多用されている。
【０００４】
しかし、各パックはラップラウンドケース内に密接して収納されているので、家庭内で開梱するには内装品を包み込んでいる側壁板と天面板とを大きく開放するか、側壁の周縁を切り離して天面板を取り外すか、或いは側壁板から天面板を斜めに開放することのできる切目を入れるように工夫されてきた。
【０００５】
このようなラップラウンドケースの場合、安定して平面上に載置しようとすると、直方体が占める広いスペースが必要とされ、またケースを縦長に立設しようとすると接地面積が小さいので不安定な状態となる。
【特許文献１】特開平８−３４４３０号公報、開封容易な箱、
【特許文献２】特開２００１−３５４２３１号公報、カートン
【発明の開示】
【発明が解決しようとする課題】
【０００６】
複数パックは直方体のラップラウンドケース内に密接して包み込まれているので、開梱時に１パック毎取り出し難い。飲料缶はそれぞれ円筒形であって隣接する缶同士の間に若干の隙間ができる。
【０００７】
本発明が解決しようとする課題は、この隙間を利用してラップラウンドケースを２つ割り可能にし、開口部が広くなり内装のパックを取り出し易くするにある。また内装のパックを取り出した後、従来のケースのように、直方体のままであると据え置きや放置にもスペースが大きくとられる。これを半分の大きさに縮小できると共に小型のくず入れ又は新聞その他の物入れとしても利用できる構成を提供しようとするものである。
【課題を解決するための手段】
【０００８】
本発明は上記の課題解決のため、天面板若しくは底面板の一方中央に側辺と平行し幅を持たせた２つの切断予定線（ジッパーカット）を設け、この切断予定線の中央又は端縁部に指を挿入可能なつまみ部を形成し、切断予定線を設けなかった底面板若しくは天面板には外方へ折り曲げる中央折曲線を設けた。
【発明の効果】
【０００９】
つまみ部を持って切断予定線からケースの底面板又は天面板を中央から切断することにより、中央に側辺と平行な開口部ができ、天面板若しくは底面板と対面する側の平面を中央折曲線により折り曲げ２つ折りすることができる。従って、内装されていた４パックでは２分の１ずつが切断された開口部から頭部を露出しているので容易に取り出すことができるようになる。
【００１０】
２つ折りされたケースは、直方体のまま立設されたものと比較して２分の１の高さとなり且つ連接しているので安定性があり、パックを全部取り出した後には、直方体の半分の大きさとして据え置きや保管ができ、廃棄する場合にも収集にも便利である。
また２つ折りのままくず入れや新聞入れ等にも利用できる。
【発明を実施するための最良の形態】
【００１１】
天面板若しくは底面板の一方中央に側辺と平行し幅を持たせた２つの切断予定線（ジッパーカット）を設け、この切断予定線の中央又は端縁部に指を挿入可能なつまみ部を形成した。このつまみ部の内方は隣接する缶同士の間にある隙間に当たるように設計すれば操作が容易となる。切断予定線を設けなかった底面板若しくは天面板には外方へ折り曲げる中央折曲線を設けた。
【実施例１】
【００１２】
図１は飲料缶を装填しない状態のラップラウンドケースの展開図である。
１は底面板で、立設した６個の缶を１パックとして４パックがケース上に載置され、パックの高さに合致した折曲線２、３により側壁板４が形成されまた折曲線５、６により側壁板７が形成され、天面板１６が上面を覆い、パック群を包み込み、のりしろ１８によりのり付けされ筒状とされる。次いで、両端の側壁板１９、２０、２１、２２によりのり付けされケースが完成される。
【００１３】
８はつまみ部で底面板１の中央に形成されている。９は切断予定線（ジッパーカット）で、底面板１の中央で側辺（長辺と短辺がある場合、短辺側が望ましい）と平行し幅を持たせて（約３ｃｍ）２本形成され、つまみ部８と連続して切断できるようになっている。
【００１４】
１０、１１は切断予定線で、側壁板４、７に形成され、前記切断予定線９と連続して切断できるようになっている。１２、１３及び１４、１５は切断線で、前記切断予定線１０、１１と連続して切断され易くなっている。
【００１５】
１６は天面板である。１７は中央折曲線で、天面板１６の中央に形成されている。
２３は６個の缶を収納した１パックを示す。
【００１６】
図２、図３において、ビール缶の６缶を１パック２３として、４パック収納されている。
図２において、つまみ部８は底面板１の中央に設けられ、この部分を指でつまんで、切断予定線９を切り開くと、図３に示すように中央部が破れ、切断線１４、１５により側壁板を切り、中央折曲線から２つ割りできるようにした。
【００１７】
図４はケースを２つ割りした状態を示す。図５は２つ割りしたケースから１パック２３を引き出した状態を示す。２つ割りすることにより、開口部からパックが取り出し易くなっている。
【実施例２】
【００１８】
図６はつまみ部２４、２５を側壁板４、７に形成したもので、内方に隣接する缶同士で形成された隙間があり、両端の角部から連続して切断予定線２６に沿って切断するようにした。この場合底面板１の稜線部から中央に向けて切断予定線２６を切断でき、容易に２つ割りができる。
【産業上の利用可能性】
【００１９】
ラップラウンドケースを２つ割りして開口部から１パック毎取り出し易く、安定性のある新しい形態となり、缶飲料業界での取り扱いが容易になる。
【図面の簡単な説明】
【００２０】
【図１】ラップラウンドケースを展開して示した平面図。
【図２】飲料缶の４パックを収納したラップラウンドケースの斜視図。
【図３】つまみ部をつまんで、切断予定線を切断する状態を示す斜視図。
【図４】切断予定線から切断してケースを２つ割りした状態の斜視図。
【図５】ケースから１パックを取り出した状態を示す斜視図。
【図６】つまみ部を側壁板側に設けた例を示すケースの展開図。
【符号の説明】
【００２１】
１              底面板
２、３          折曲線
４、７          側壁板
５、６          折曲線
８              つまみ部
９、１０、１１  切断予定線
１２、１３      切断線
１４、１５      切断線
１６            天面板
１７            中央折曲線
１８            のりしろ
１９、２０      側壁板
２１、２２      側壁板
【図１】
2005132371.tif 000003
【図２】
2005132371.tif 000004
【図３】
2005132371.tif 000005
【図４】
2005132371.tif 000006
【図５】
2005132371.tif 000007
【図６】
2005132371.tif 000008